【手続補正書】
【提出日】平成28年9月5日(2016.9.5)
【手続補正１】
【補正対象書類名】明細書
【補正対象項目名】００２９
【補正方法】変更
【補正の内容】
【００２９】
本発明の表示制御プログラムの他の構成例は、表示画面に対する入力位置を入力するポインティングデバイスを用いた操作に応じて、当該表示画面に画像を表示する装置に含まれるコンピュータで実行される。表示制御プログラムは、取得手段、操作方向判定手段、および表示対象出現手段として、コンピュータを機能させる。取得手段は、ポインティングデバイスを用いた入力を取得する。操作方向判定手段は、ポインティングデバイスを用いた入力位置が移動する操作方向を判定する。表示対象出現手段は、操作方向判定手段が判定した操作方向が予め定められた少なくとも第１の方向および第２の方向の何れかに相当する場合、所定の表示対象を当該操作方向に応じた方向に移動させることによって当該表示画面に出現させる。表示対象出現手段は、操作方向が第１の方向に相当すると判定された場合と第２の方向に相当すると判定された場合とで、共通の表示対象を出現させる。
また、本発明は、上記各手段を備える表示制御装置および表示制御システムや上記各手段で行われる動作を含む表示制御方法の形態で実施されてもよい。
【手続補正２】
【補正対象書類名】特許請求の範囲
【補正対象項目名】全文
【補正方法】変更
【補正の内容】
【特許請求の範囲】
【請求項１】
表示画面に対する入力位置を入力するポインティングデバイスを用いた操作に応じて、当該表示画面に画像を表示する装置に含まれるコンピュータで実行される表示制御プログラムであって、
前記コンピュータを、
前記ポインティングデバイスを用いた入力を取得する取得手段と、
前記ポインティングデバイスを用いた入力が入力位置を移動させる操作であるか否かを判定する操作判定手段と、
前記操作判定手段が肯定と判定した場合、前記入力位置が移動する操作方向を判定する操作方向判定手段と、
前記操作方向判定手段が判定した操作方向が予め定められた複数方向の何れかに相当する場合、所定の表示対象を当該操作方向に応じた方向に移動させることによって当該表示画面に出現させる表示対象出現手段として機能させ、
前記表示対象出現手段は、前記操作方向が前記複数方向のうち何れの方向に相当すると判定された場合であっても、共通の表示対象を出現させる、表示制御プログラム。
【請求項２】
前記表示画面に前記表示対象が表示された状態で、前記複数方向の何れかに相当する操作方向への操作が行われた場合、当該操作方向に応じて前記表示対象を移動させて前記表示画面に表示する表示対象移動手段として、さらに前記コンピュータを機能させる、請求項１に記載の表示制御プログラム。
【請求項３】
前記表示画面に前記表示対象が表示された状態で、当該表示対象を出現させることが可能な操作とは異なる所定の操作が行われた場合、当該表示対象を当該表示画面から消去する表示対象消去手段として、さらに前記コンピュータを機能させる、請求項１または２に記載の表示制御プログラム。
【請求項４】
前記所定の操作は、前記ポインティングデバイスを用いて前記表示画面に表示された所定の表示領域を選択する操作である、請求項３に記載の表示制御プログラム。
【請求項５】
前記表示対象出現手段は、
前記表示対象を出現させた操作方向が前記表示画面に対して上方向または下方向であった場合、前記ポインティングデバイスの操作に応じて当該表示画面に対して左方向または右方向へ移動可能な表示対象を出現させ、
前記表示対象を出現させた操作方向が前記表示画面に対して左方向または右方向であった場合、前記ポインティングデバイスの操作に応じて当該表示画面に対して上方向または下方向へ移動可能な表示対象を出現させる、請求項１に記載の表示制御プログラム。
【請求項６】
前記表示対象を出現させた操作方向が前記表示画面に対して上方向または下方向であった場合、前記表示画面に前記表示対象が表示された後、当該表示画面に対する操作方向が上方向または下方向となる操作に応じて当該表示対象を当該表示画面から消去し、前記表示対象を出現させた操作方向が前記表示画面に対して左方向または右方向であった場合、前記表示画面に前記表示対象が表示された後、当該表示画面に対する操作方向が左方向または右方向となる操作に応じて当該表示対象を当該表示画面から消去する表示対象消去手段として、さらに前記コンピュータを機能させる、請求項１または５に記載の表示制御プログラム。
【請求項７】
前記予め定められた複数方向は、前記表示画面に対する上下左右方向のうち２以上の方向である、請求項１乃至６の何れか１つに記載の表示制御プログラム。
【請求項８】
前記表示対象出現手段は、前記表示対象を出現させる前に前記表示画面に表示していた表示画像の少なくとも一部に重ねて前記表示対象を表示する、請求項１乃至７の何れか１つに記載の表示制御プログラム。
【請求項９】
前記表示対象出現手段は、前記表示対象を出現させる前に前記表示画面に表示していた表示画像全体に重ねて前記表示対象を表示する、請求項８に記載の表示制御プログラム。
【請求項１０】
前記表示対象は、当該表示対象を出現させる前に前記表示画面に表示していた表示画像または前記装置に関する情報が記載された情報画像である、請求項１乃至９の何れか１つに記載の表示制御プログラム。
【請求項１１】
所定のアプリケーションを実行することに応じた表示画像を複数の表示画面にそれぞれ表示するアプリケーション実行手段として、さらに前記コンピュータを機能させ、
前記表示対象出現手段は、前記表示画像とは別の表示対象を前記複数の表示画面の１つに出現させる、請求項１乃至１０の何れか１つに記載の表示制御プログラム。
【請求項１２】
表示画面に対する入力位置を入力するポインティングデバイスを用いた操作に応じて、当該表示画面に画像を表示する表示制御装置であって、
前記ポインティングデバイスを用いた入力を取得する取得手段と、
前記ポインティングデバイスを用いた入力が入力位置を移動させる操作であるか否かを判定する操作判定手段と、
前記操作判定手段が肯定と判定した場合、前記入力位置が移動する操作方向を判定する操作方向判定手段と、
前記操作方向判定手段が判定した操作方向が予め定められた複数方向の何れかに相当する場合、所定の表示対象を当該操作方向に応じた方向に移動させることによって当該表示画面に出現させる表示対象出現手段とを備え、
前記表示対象出現手段は、前記操作方向が前記複数方向のうち何れの方向に相当すると判定された場合であっても、共通の表示対象を出現させる、表示制御装置。
【請求項１３】
複数の装置が通信可能に構成され、表示画面に対する入力位置を入力するポインティングデバイスを用いた操作に応じて、当該表示画面に画像を表示する表示制御システムであって、
前記ポインティングデバイスを用いた入力を取得する取得手段と、
前記ポインティングデバイスを用いた入力が入力位置を移動させる操作であるか否かを判定する操作判定手段と、
前記操作判定手段が肯定と判定した場合、前記入力位置が移動する操作方向を判定する操作方向判定手段と、
前記操作方向判定手段が判定した操作方向が予め定められた複数方向の何れかに相当する場合、所定の表示対象を当該操作方向に応じた方向に移動させることによって当該表示画面に出現させる表示対象出現手段とを備え、
前記表示対象出現手段は、前記操作方向が前記複数方向のうち何れの方向に相当すると判定された場合であっても、共通の表示対象を出現させる、表示制御システム。
【請求項１４】
表示画面に対する入力位置を入力するポインティングデバイスを用いた操作に応じて、当該表示画面に画像を表示する少なくとも１つの装置により構成されるシステムに含まれる１つのプロセッサまたは複数のプロセッサ間の協働により実行される表示制御方法であって、
前記ポインティングデバイスを用いた入力を取得する取得ステップと、
前記ポインティングデバイスを用いた入力が入力位置を移動させる操作であるか否かを判定する操作判定ステップと、
前記操作判定ステップにおいて肯定と判定された場合、前記入力位置が移動する操作方向を判定する操作方向判定ステップと、
前記操作方向判定ステップにおいて判定された操作方向が予め定められた複数方向の何れかに相当する場合、所定の表示対象を当該操作方向に応じた方向に移動させることによって当該表示画面に出現させる表示対象出現ステップとを含み、
前記表示対象出現ステップでは、前記操作方向が前記複数方向のうち何れの方向に相当すると判定された場合であっても、共通の表示対象を出現させる、表示制御方法。
【請求項１５】
表示画面に対する入力位置を入力するポインティングデバイスを用いた操作に応じて、当該表示画面に画像を表示する装置に含まれるコンピュータで実行される表示制御プログラムであって、
前記コンピュータを、
前記ポインティングデバイスを用いた入力を取得する取得手段と、
前記ポインティングデバイスを用いた入力位置が移動する操作方向を判定する操作方向判定手段と、
前記操作方向判定手段が判定した操作方向が予め定められた少なくとも第１の方向および第２の方向の何れかに相当する場合、所定の表示対象を当該操作方向に応じた方向に移動させることによって当該表示画面に出現させる表示対象出現手段として機能させ、
前記表示対象出現手段は、前記操作方向が前記第１の方向に相当すると判定された場合と前記第２の方向に相当すると判定された場合とで、共通の表示対象を出現させる、表示制御プログラム。